(57)【要約】【課題】チャンネルの切り替え時間を短縮できるとともに、少ないＣＰＵパワーと、少ない消費電力でチャンネルの切り替えができる受信機を提供する。【解決手段】受信機は、メディアデコーダ２０７が第１チャンネルのベースコンポーネントとエンハンスドコンポーネントをデコードし、ＡＶ出力部２０６に表示している際に、操作部２０５により第２チャンネルの選局操作が行われると、第２チャンネルを受信し、メディアデコーダ２０７が第２チャンネルのベースコンポーネントをデコードし、ＡＶ出力部２０６に表示するとともに、第３チャンネルを受信し、メディアデコーダ２０８が第３チャンネルのベースコンポーネントをデコードする。さらに、操作部２０５により第３チャンネルの選局操作が行われると、メディアデコーダ２０８がデコードしたデータをＡＶ出力部２０６に表示する。【選択図】図８
2010081386.tif 000002
【特許請求の範囲】
【請求項１】
複数の階層で階層符号化された多チャンネルのデータを受信する複数の受信部と、
該複数の受信部が受信したそれぞれのチャンネルの階層符号化データをデコードする各受信部に対応するデコーダと、
該デコーダがデコードしたデータを表示する表示部と、
ユーザによるチャンネルの選局操作を行う操作部と、
前記複数の受信部のうちの第１受信部が第１チャンネルを受信し、該第１受信部に対応するデコーダが該チャンネルの全階層の符号化データをデコードし、該デコードしたデータを前記表示部に表示している際に、前記操作部により第２チャンネルの選局操作が行われると、前記第１受信部が前記第２チャンネルを受信し、該第１受信部に対応するデコーダが該チャンネルの特定の階層までの符号化データをデコードし、該デコードしたデータを前記表示部に表示するとともに、第２受信部が第３チャンネルを受信し、該第２受信部に対応するデコーダが該チャンネルの特定の階層までの符号化データをデコードするように制御する制御部と、
を備える受信機。
【請求項２】
前記制御部は、前記操作部により前記第３チャンネルの選局操作が行われると、前記第２受信部に対応するデコーダがデコードしたデータを前記表示部に表示するように制御することを特徴とする請求項１に記載の受信機。
【請求項３】
前記制御部は、前記操作部により第２チャンネルの選局操作が行われた後、所定時間経過すると、前記第１受信部に対応するデコーダが前記第２チャンネルの全階層の符号化データをデコードし、該デコードしたデータを前記表示部に表示するように制御することを特徴とする請求項１に記載の受信機。
【請求項４】
前記制御部は、前記操作部により第２チャンネルの選局操作が行われた後、所定時間経過すると、前記第２受信部に対応するデコーダが前記第３チャンネルの符号化データのデコードを停止するように制御することを特徴とする請求項３に記載の受信機。
【発明の詳細な説明】
【技術分野】
【０００１】
本発明は、多チャンネルデジタル放送サービスを受信することができる受信機に関する。
【背景技術】
【０００２】
携帯端末向けの放送サービスとしてＭｅｄｉａＦＬＯ（登録商標）が知られている。ＭｅｄｉａＦＬＯとは、携帯端末向け多チャンネルデジタル放送サービスであり、移動体環境に適した技術によって、映像や音楽を配信するものである。ＭｅｄｉａＦＬＯのエアインターフェースはＦＬＯ（Forward Link Only）と呼ばれ、ＦＬＯの物理層には直交周波数分割多重（Orthogonal Frequency Division Multiplexing：ＯＦＤＭ）が採用される（非特許文献１、２参照）。
【０００３】
図１は、ＦＬＯのインタレース構成を示す図である。ＦＬＯは６ＭＨｚの帯域幅を使用し、サブキャリアの本数は４０９６本である。この４０９６本のサブキャリアのうち、実際に使用するサブキャリアは、ガードサブキャリア９６本を除いた４０００本である。ＭｅｄｉａＦＬＯは、４０００本のサブキャリアを、８つのインタレースと呼ばれるグループに分割する。各インタレースは、４０００本のサブキャリアから８本おきに選択した５００本のサブキャリアから構成される。１つのインタレースはパイロットシンボルとして使用されるため、残りの７つのインタレースがデータ送信に使用される。ＭｅｄｉａＦＬＯでは、１つのインタレースを最小の単位として、周波数帯域に対するサービス（映像、音声、字幕など）の割り当てが行われる。
【０００４】
図２は、インタレースに対するサービスの割り当て例を示す図である。縦軸のインタレースは周波数軸における分割を表し、横軸は時間軸の分割を表している。ＭｅｄｉａＦＬＯの各サービスは、ＭＬＣ（Multicast Logical Channel）と呼ばれる論理チャンネル上で運ばれる。ＭＬＣは、１つ以上のインタレースと、１つ以上のＯＦＤＭシンボルとから構成される。図２の太線で囲まれた範囲はそれぞれ異なるＭＬＣを表すものであり、各ＭＬＣには、映像、音声および字幕などのデータが格納されている。例えば１つの映像と１つの音声とからなるサービス（番組）は、２つのＭＬＣから構成される。また、例えば図２の斜線で示すＭＬＣのみで構成されるサービスを視聴するには、当該ＭＬＣを構成するインタレースおよびＯＦＤＭシンボルのみをデコードすれば良い。このように、ＭｅｄｉａＦＬＯでは、時間領域、周波数領域を細かく分割したサービスの割り当てが行われており、必要なＭＬＣのみを選択的にデコードする（間欠受信する）ことによって、受信装置の省電力化を図ることができる。なお、ＭｅｄｉａＦＬＯでは、１つのチューナで全てのインタレースを受信することができるため、さらに数多くのＭＬＣを同時にデコードし、複数のサービスを同時に視聴することも可能である。
【０００５】
図３にＭｅｄｉａＦＬＯのフレーム構成を示す。ＭｅｄｉａＦＬＯは１秒を周期とするスーパーフレーム（１２００のＯＦＤＭシンボル）から構成され、当該スーパーフレームは、ＴＤＭ（Time Division Multiplexing）パイロット、ＯＩＳ（Overhead Information Symbols）および４個のデータフレームに分けられる。ＯＩＳは制御チャンネルであり、データフレーム中のＭＬＣの配置情報が含まれる。受信機は、ＴＤＭパイロットによりスーパーフレーム境界を検知して、復調のためのタイミングを捕捉し、ＯＩＳチャンネルのデータを復号して、選択されたチャンネルを構成するＭＬＣ（画像、音声等）の情報を確認し、各データフレーム内におけるＭＬＣを復調、復号する。
【０００６】
図４は、一般的なＭｅｄｉａＦＬＯの受信機の構成を示す図である。アンテナ１００で受信した信号は、ＲＦフロントエンド１０１にて指定されたチャンネルを受信し、復調器１０２にてＯＦＤＭ復調、誤り訂正復号が行われ、メディアデコーダ１０３にて、音声、映像、文字情報等をデコードして、スピーカ、モニター等のＡＶ出力部１０６に出力する。なお、ここでは暗号化の復号や電子番組表の受信等の説明は省略する。
【０００７】
図５は、チャンネル（サービス）変更を行ったときの復調器、メディアデコーダ、ＡＶ出力部のタイミングチャートを示す図である。
チャンネル（サービス）の変更を行うとき、ユーザは、操作部１０５でチャンネルボタン等を押下し、チャンネルの変更操作を行う。システム制御部１０４は、その操作を検知して操作の内容に従い、次に受信するチャンネルを決定し、復調器１０２にそのチャンネルの復調を指示するとともに、メディアデコーダ１０３にもチャンネルを切り替えるように指示する。復調器１０２は、次のスーパーフレームのＯＩＳ情報を読み込み、指定されたチャンネルのデータの復調を開始する。
メディアデコーダ１０３は、ユーザがチャンネルの切り替え操作を行い、チャンネルの切り替えを開始したことをユーザに知らせるため、現在のチャンネルのデコードを停止し、音声出力を停止し、画面を（例えば）真っ黒な画面に切り替える。また、次のスーパーフレームのデータからデコードを再開し、デコードしたデータをＡＶ出力部１０６に出力する。
【０００８】
このようにＭｅｄｉａＦＬＯの場合は、ユーザによるチャンネルの切り替え指示があると、次のスーパーフレームからデータの復調を開始するため、チャンネル切り替えのタイミングにより、最大で１スーパーフレームの待ち時間が生じる。また、実際は、映像、音声のデコード処理、映像のＩフレームの位置によりさらに待ち時間が増える。
【０００９】
この待ち時間を減らすために、図６に示すような構成のＭｅｄｉａＦＬＯの受信機が考えられる。
ＭｅｄｉａＦＬＯの場合、１つの帯域（６ＭＨｚ）で複数のチャンネルのデータを放送するため、チューナー部に対応するＲＦフロントエンド、復調器は１つで済む。そして、復調器１０２は、複数のチャンネルのデータを出力することができる。そこで、複数のチャンネルのデータを同時にデコードするため、複数のメディアデコーダを用意する。
メディアデコーダ１０７は、現在選択されているチャンネルのデータをデコードする。メディアデコーダ１０８は、ユーザが次に切り替えると予測されるチャンネルのデータをデコードする。そして、ＡＶ出力切り替え器１０９は、現在選択されているチャンネルのデータであるメディアデコーダ１０７のデータを出力する。
【００１０】
図７は、チャンネル変更を行ったときの復調器、メディアデコーダ、ＡＶ出力部のタイミングチャートを示す図である。
チャンネル変更時、システム制御部１０４は、ユーザによる操作部１０５の操作から次に切り替えるチャンネルを決定し、そのチャンネルがすでにメディアデコーダ１０８でデコードされているチャンネルであれば、即座にＡＶ出力切り替え器１０９を、メディアデコーダ１０８の出力に切り替え、切り替え後のチャンネルのＡＶデータを出力する。
また、このとき、ユーザが次に切り替えるチャンネルを予想し、次のスーパーフレームからそのチャンネルのデータを復調、デコードするように、復調器１０２、メディアデコーダ１０７に指示をする。
変更後のチャンネルが予測されたチャンネルでなければ、一般的なＭｅｄｉａＦＬＯの受信機のチャンネル切り替え動作と同じ制御を行うとともに、次に切り替えると予想されるチャンネルのデータ処理も開始する。
【００１１】
このように、図６に示すような受信機を使用すれば、チャンネルの切り替え時間を短縮することができる。例えば、ユーザがチャンネルのアップ、ダウンボタンによるチャンネル切り替え（一方向にザッピング）時は、連続してアップキーまたはダウンキーを操作することが多いため、次に切り替えるチャンネルの予想もしやすく、効果が大きい。
【００１２】
なお、特許文献１には、チャンネルの切り替え時における切り替え時間を短縮することができるデジタル放送受信機が開示されている。
【特許文献１】特開２００３−２７４３０４号公報
【非特許文献１】日経エレクトロニクス、２００７年１２月１７日号、デジタル・テレビ・セミナー、第１回 ＭｅｄｉａＦＬＯ、「ワンセグと共存可能な移動体向け放送  ６ＭＨｚ幅に２０チャンネル強を収容」
【非特許文献２】ＩＴＵジャーナル、Ｖｏｌ．３７，Ｎｏ．５，（２００７．５）「ＭｅｄｉａＦＬＯによる新しい携帯向け放送サービス」
【発明の開示】
【発明が解決しようとする課題】
【００１３】
しかしながら、ＭｅｄｉａＦＬＯの受信機に複数のデコーダを用意し、同時にチャンネルをデコードしておいて、チャンネルの切り替え時間を短縮しようとすると、次のような問題がある。
電池で動作する携帯機器においては、限られたＣＰＵパワーにおいて処理しなければならないため、複数のチャンネルの同時の処理（受信、デコード）ができない場合もあり、また、できたとしても複数のチャンネルを常時受信、デコードしているため、１チャンネルを受信しているときに比べて消費電力が大きくなり、携帯機器の使用時間が短くなってしまう。
【００１４】
本発明は、このような問題点に鑑みてなされたものであり、本発明の目的は、チャンネルの切り替え時間を短縮できるとともに、少ないＣＰＵパワーと、少ない消費電力でチャンネルの切り替えができる受信機を提供することにある。
【課題を解決するための手段】
【００１５】
上記目的を達成するため、本発明の受信機は、複数の階層で階層符号化された多チャンネルのデータを受信する複数の受信部と、該複数の受信部が受信したそれぞれのチャンネルの階層符号化データをデコードする各受信部に対応するデコーダと、該デコーダがデコードしたデータを表示する表示部と、ユーザによるチャンネルの選局操作を行う操作部と、前記複数の受信部のうちの第１受信部が第１チャンネルを受信し、該第１受信部に対応するデコーダが該チャンネルの全階層の符号化データをデコードし、該デコードしたデータを前記表示部に表示している際に、前記操作部により第２チャンネルの選局操作が行われると、前記第１受信部が前記第２チャンネルを受信し、該第１受信部に対応するデコーダが該チャンネルの特定の階層までの符号化データをデコードし、該デコードしたデータを前記表示部に表示するとともに、第２受信部が第３チャンネルを受信し、該第２受信部に対応するデコーダが該チャンネルの特定の階層までの符号化データをデコードするように制御する制御部とを備えることを特徴とする。
【００１６】
前記制御部は、前記操作部により前記第３チャンネルの選局操作が行われると、前記第２受信部に対応するデコーダがデコードしたデータを前記表示部に表示するように制御することが好ましい。
【００１７】
また、前記制御部は、前記操作部により第２チャンネルの選局操作が行われた後、所定時間経過すると、前記第１受信部に対応するデコーダが前記第２チャンネルの全階層の符号化データをデコードし、該デコードしたデータを前記表示部に表示するように制御することが好ましい。
【００１８】
また、前記制御部は、前記操作部により第２チャンネルの選局操作が行われた後、所定時間経過すると、前記第２受信部に対応するデコーダが前記第３チャンネルの符号化データのデコードを停止するように制御することが好ましい。
【発明の効果】
【００１９】
本発明は、チャンネルの切り替え時に、一定時間、限定された階層の符号化データのみを受信し、デコードするので、チャンネルの切り替え時間を短縮できるとともに、少ないＣＰＵパワーと、少ない消費電力でチャンネルの切り替えができる。
【発明を実施するための最良の形態】
【００２０】
本発明の実施の形態について図面を参照して説明する。
ＭｅｄｉａＦＬＯでは、階層変調方式とベースコンポーネント、エンハンスドコンポーネントの２階層のエンコード（階層符号化）が使用される。ベースコンポーネントの受信、デコードのみでも基本的な映像（例えば、１５フレーム／秒）を出力することができるが、エンハンスドコンポーネントも受信、デコードすることにより、より高品位な映像（例えば、３０フレーム／秒）を出力することができる。
一般的には、ＭｅｄｉａＦＬＯのようにベースコンポーネントとエンハンスドコンポーネントとが同程度のデータ量とされている場合であれば、片方のコンポーネントの処理を行わないようにすることで、復調器、メディアデコーダの処理は大きく削減される。
なお、基本的な映像、高品位な映像は、システム設計により異なるため、上述の例示に限定されるものではないことに留意されたい。
【００２１】
本発明の受信機は、階層変調方式、階層符号化により映像、音声等のデータを送信している放送方式において、チャンネル切り替え時の一定時間のみ、切り替え後のチャンネルと、さらにその次に切り替えると予想されるチャンネルのデータの受信、デコードを行うものであり、さらに、これら複数のチャンネルの受信、デコードを行っているときは、特定の階層のデータのみを受信、デコードするものである。
【００２２】
図８は、本発明の受信機の構成を示す図である。本発明の受信機は、複数の階層で階層符号化された多チャンネルのデータを受信する受信機であり、図８に示すように、アンテナ２００と、多チャンネルの放送波を受信するＲＦフロントエンド２０１と、受信した放送波をＯＦＤＭ復調、誤り訂正復号して各チャンネルのデータを出力する復調器２０２と、各チャンネルのデータから音声、映像、テキスト等のデータを抽出し、それぞれのデータを復号する複数のメディアデコーダ２０７、２０８と、チャンネルの切り替え等のシステムの制御を行うシステム制御部２０４と、ユーザによるチャンネルの切り替え（選局操作）を行う操作部２０５と、デコードされた音声、映像、テキストデータ等の出力を切り替えるＡＶ出力切り替え器２０９と、音声、映像、テキストデータ等を出力するＡＶ出力部２０６（表示部、スピーカ）とを備えている。
なお、ＲＦフロントエンド２０１および復調器２０２は、多チャンネルのデータを受信する複数の受信部として機能する。
複数の受信部の技術思想としては、１つのチャンネルを出力する構成が１つの受信部に相当するものである。したがって、１つのチップセットが１つのチャンネルを出力する構成の場合、これを１つの受信部とし、１つのチップセットが複数のチャンネルを出力する場合、多チャンネルを受信する点を共通として、１つのチャンネルを分離・出力する１機能を１つの受信部とする。
【００２３】
システム制御部２０４は、複数の受信部（ＲＦフロントエンド２０１と復調器２０２）のうちの第１受信部（図示せず）が第１チャンネルを受信し、第１受信部に対応するデコーダが第１チャンネルの全階層の符号化データ（ベースコンポーネントとエンハンスドコンポーネント）をデコードし、デコードしたデータをＡＶ出力部２０６に表示している際に、操作部２０５により第２チャンネルの選局操作が行われると、第１受信部が第２チャンネルを受信し、第１受信部に対応するデコーダが第２チャンネルの特定の階層までの符号化データ（ベースコンポーネント）をデコードし、デコードしたデータをＡＶ出力部２０６に表示するとともに、第２受信部（図示せず）が第３チャンネルを受信し、第２受信部に対応するデコーダが第３チャンネルの特定の階層までの符号化データ（ベースコンポーネント）をデコードするように制御する。上述の通り、１つのチップセットが多チャンネルを受信して、各チャンネルを分離する場合、第１、第２受信部が放送波を受信する点で一致しているが、分離・出力する点で相違する。
また、システム制御部２０４は、操作部２０５により第３チャンネルの選局操作が行われると、第２受信部に対応するデコーダがデコードしたデータをＡＶ出力部２０６に表示するように制御する。
また、システム制御部２０４は、操作部２０５により第２チャンネルの選局操作が行われた後、所定時間経過すると、第１受信部に対応するデコーダが第２チャンネルの全階層の符号化データ（ベースコンポーネントとエンハンスドコンポーネント）をデコードし、デコードしたデータをＡＶ出力部２０６に表示するように制御する。
また、システム制御部２０４は、操作部２０５により第２チャンネルの選局操作が行われた後、所定時間経過すると、第２受信部に対応するデコーダが第３チャンネルの符号化データのデコードを停止するように制御する。
【００２４】
図９は、本発明の受信機の実施例１の動作を説明するタイミング図である。図９において、ｃｈＡ（Ｂ）とはチャンネルＡのベースコンポーネントを処理していることを示し、ｃｈＡ（Ｂ＋Ｅ）とは、チャンネルＡのベースコンポーネントとエンハンスドコンポーネントを処理していることを示す。
タイミング（１）においては、ユーザはチャンネルＡを選択しており、受信機としても、チャンネルＡのベースコンポーネントとエンハンスドコンポーネントを受信し、デコードしてＡＶ出力部２０６に出力している。
【００２５】
タイミング（２）において、ユーザが操作部２０５を操作し、チャンネル切り替え操作を行うと、システム制御部２０４は、ユーザによるチャンネルの切り替え操作を検知して、次に切り替えるチャンネルＢを決定するとともに、その次に切り替えられると予想されるチャンネルＣを決定する。さらに、システム制御部２０４は、チャンネル切り替え監視タイマーをスタートし、復調器２０２（受信部）に、次のスーパーフレームの境界からチャンネルＢとチャンネルＣのベースコンポーネントを受信するように設定する。このようにチャンネルＢとチャンネルＣのベースコンポーネントのみを受信するようにすることで、ＣＰＵの演算量を削減できるとともに、消費電力を抑制することができる。
メディアデコーダ２０７に対しては、現在のチャンネルのデコードを停止し、次のスーパーフレームからチャンネルＢのベースコンポーネントのみをデコードするように設定する。また、メディアデコーダ２０８に対しては、次のスーパーフレームからチャンネルＣのベースコンポーネントをデコードするように設定する。ＡＶ出力切り替え器２０９に対しては、チャンネルの切り替えを開始したことをユーザに知らせるため、音声出力を停止し、画面を（例えば）真っ黒な画面に切り替えるように設定する。これによりチャンネル切り替えの時間短縮を図る。
【００２６】
タイミング（３）において、チャンネルＢとチャンネルＣのベースコンポーネントの受信が開始され、受信したデータのデコードが開始される。また、ＡＶ出力切り替え器２０９に対してメディアデコーダ２０７のＡＶデータを出力するように設定する。
チャンネルＢのデータをデコードし、映像データ、音声データが用意できたタイミング（４）からチャンネルＢのＡＶデータが出力される。
【００２７】
その後、タイミング（５）において、チャンネル切り替え監視タイマーがタイムアウト（Ｔ．Ｏ．）する。システム制御部２０４は、チャンネル切り替え監視タイマーのタイムアウトを検出し、復調器２０２（受信部）に、次のスーパーフレームから、現在選択されているチャンネルＢのベースコンポーネントとエンハンスドコンポーネントを受信するように設定する。また、メディアデコーダ２０７に、次のスーパーフレームからベースコンポーネントとエンハンスドコンポーネントをデコードするように設定し、消費電力を抑制するためにメディアデコーダ２０８を停止させる。
タイミング（６）において、チャンネルＢのベースコンポーネントとエンハンスドコンポーネントの受信、デコードが開始され、そのままＡＶ出力部２０６に出力される。
【００２８】
図１０は、本発明の受信機の実施例２の動作を説明するタイミング図である。タイミング（１）においてはユーザはチャンネルＡを選択しており、受信装置としても、チャンネルＡのベースコンポーネントとエンハンスドコンポーネントを受信し、デコードしてＡＶ出力部２０６に出力している。
【００２９】
タイミング（２）において、ユーザが操作部２０５を操作し、チャンネル切り替え操作を行うと、システム制御部２０４は、ユーザによるチャンネル切り替え操作を検知して、次に切り替えるチャンネルＢを決定するとともに、その次に切り替えられると予想されるチャンネルＣを決定する。さらに、システム制御部２０４は、チャンネル切り替え監視タイマーをスタートし、復調器２０２（受信部）に、次のスーパーフレームの境界からチャンネルＢとチャンネルＣのベースコンポーネントを受信するように設定する。このようにチャンネルＢとチャンネルＣのベースコンポーネントのみを受信するようにすることで、ＣＰＵの演算量を削減するとともに、消費電力を抑制することができる。
メディアデコーダ２０７に対しては、現在のチャンネルのデコードを停止し、次のスーパーフレームからチャンネルＢのベースコンポーネントのみをデコードするように設定する。また、メディアデコーダ２０８に対しては、次のスーパーフレームからチャンネルＣのベースコンポーネントをデコードするように設定する。ＡＶ出力切り替え器２０９に対しては、チャンネルの切り替えを開始したことをユーザに知らせるため、音声出力を停止し、画面を（例えば）真っ黒な画面に切り替えるように設定する。これによりチャンネル切り替えの時間短縮を図る。
【００３０】
タイミング（３）において、チャンネルＢとチャンネルＣのベースコンポーネントの受信が開始され、受信したデータのデコードが開始される。また、ＡＶ出力切り替え器２０９に対してメディアデコーダ２０７のＡＶデータを出力するように設定する。
チャンネルＢのデータをデコードし、映像データ、音声データが用意できたタイミング（４）からチャンネルＢのＡＶデータが出力される。
【００３１】
次に、チャンネル切り替え監視タイマーがタイムアウトする前のタイミング（５）において、ユーザが操作部２０５を操作して、チャンネル切り替え操作を行うと、システム制御部２０４は、ユーザによるチャンネル切り替え操作を検知して、次に切り替えるチャンネルＣを決定するとともに、その次に切り替えられると予想されるチャンネルＤを決定する。
システム制御部２０４は、チャンネル切り替え監視タイマーをリスタートし、復調器２０２（受信部）に次のスーパーフレームの境界からチャンネルＣとチャンネルＤのベースコンポーネントを受信するように設定する。
また、切り替え先のチャンネルＣがすでにデコードされているかどうかを確認する。この場合、メディアデコーダ２０８にてチャンネルＣをデコードしているため、ＡＶ出力切り替え器２０９をメディアデコーダ２０８のＡＶデータを出力するように設定する。このときすぐにチャンネルＣがＡＶ出力に切り替えられる。
メディアデコーダ２０７に対してはデコードを停止し、次のスーパーフレームからチャンネルＤのベースコンポーネントをデコードするように設定する。
【００３２】
タイミング（６）において、チャンネルＣとチャンネルＤのベースコンポーネントの受信が開始され、受信したデータのデコードが開始される。
その後、タイミング（７）において、チャンネル切り替え監視タイマーがタイムアウト（Ｔ．Ｏ．）する。システム制御部２０４は、チャンネル切り替え監視タイマーのタイムアウトを検出し、復調器２０２（受信部）に次のスーパーフレームから、現在選択されているチャンネルＣのベースコンポーネントとエンハンスドコンポーネントを受信するように設定する。
また、消費電力を抑制するためにメディアデコーダ２０７を停止させ、メディアデコーダ２０８に次のスーパーフレームからベースコンポーネントとエンハンスドコンポーネントをデコードするように設定する。
タイミング（８）において、チャンネルＣのベースコンポーネントとエンハンスドコンポーネントの受信、デコードが開始され、そのままＡＶ出力部２０６に出力される。
【００３３】
以上のように、本発明では、チャンネル切り替え時にある一定時間のみ、現在のチャンネルと次に切り替えると予測されるチャンネルのベースコンポーネントのみを受信、デコードを行うことにより、ＣＰＵ、ＤＳＰ等の演算量を削減するとともに、それにより消費電力を低減でき、また、次に切り替えるチャンネルが予測されたチャンネルと一致すれば、ただちに、スムーズにチャンネル切り替えを行うことができる。
【００３４】
なお、上述した実施の形態では、ＲＦフロントエンドおよび復調器を複数の受信部として機能させて、複数の受信部を１つのＲＦフロントエンドおよび復調器で構成した。これを、多チャンネルのデータを受信する１つの受信部としても良い。そして、この受信部が第１〜第３チャンネルを受信し、各チャンネルに対応するデコーダがデコードするように表現しても良い。受信部は、各チャンネルを受信するタイミングにずれが生じる場合、その間、受信動作せずに、省電力を図ることができる。複数の受信部を、複数のＲＦフロントエンドおよび復調器で構成してもよい。
【図面の簡単な説明】
【００３５】
【図１】ＦＬＯのインタレース構成を示す図である。
【図２】インタレースに対するサービスの割り当て例を示す図である。
【図３】ＭｅｄｉａＦＬＯのフレーム構成を示す図である。
【図４】一般的なＭｅｄｉａＦＬＯの受信装置の構成を示す図である。
【図５】チャンネル変更を行ったときの復調器、メディアデコーダ、ＡＶ出力部のタイミングチャートを示す図である。
【図６】複数のメディアデコーダを備えるＭｅｄｉａＦＬＯの受信装置の構成を示す図である。
【図７】チャンネル変更を行ったときの復調器、メディアデコーダ、ＡＶ出力部のタイミングチャートを示す図である。
【図８】本発明の受信機の構成を示す図である。
【図９】本発明の受信機の実施例１の動作を説明するタイミング図である。
【図１０】本発明の受信機の実施例２の動作を説明するタイミング図である。
【符号の説明】
【００３６】
１００，２００  アンテナ
１０１，２０１  ＲＦフロントエンド
１０２，２０２  復調器
１０３，１０７，１０８，２０７，２０８  メディアデコーダ
１０４，２０４  システム制御部
１０５，２０５  操作部
１０６，２０６  ＡＶ出力部
１０９，２０９  ＡＶ出力切り替え器
【図１】
2010081386.tif 000003
【図２】
2010081386.tif 000004
【図３】
2010081386.tif 000005
【図４】
2010081386.tif 000006
【図５】
2010081386.tif 000007
【図６】
2010081386.tif 000008
【図７】
2010081386.tif 000009
【図８】
2010081386.tif 000010
【図９】
2010081386.tif 000011
【図１０】
2010081386.tif 000012